【事件の表示】
　特願２０１５−１８９５４１「数値制御システム」拒絶査定不服審判事件〔平成２９年４月６日出願公開、特開２０１７−６８３２４、請求項の数（５）〕について、次のとおり審決する。
【結　論】
　原査定を取り消す。
　本願の発明は、特許すべきものとする。
【理　由】
第１　手続の経緯
　本願は、平成２７年９月２８日の出願であって、その後の手続の概要は、以下のとおりである。
　平成２９年１０月２５日付け：拒絶理由通知
　平成２９年１２月２２日　　：意見書の提出
　平成３０年　２月１６日付け：拒絶査定（原査定）
　平成３０年　５月２８日　　：審判請求書の提出
第２　原査定の概要
　原査定（平成３０年２月１６日付け拒絶査定）の概要は次のとおりである。
  
　本願請求項１〜５に係る発明は、本願の出願前に頒布された引用文献１に記載された発明並びに引用文献２に示された一般的な技術水準及び引用文献３〜４に示された周知技術に基づいて、その出願前にその発明の属する技術の分野における通常の知識を有する者（以下、「当業者」という。）が容易に発明をすることができたものであるから、特許法第２９条第２項の規定により、特許を受けることができない。
引用文献等一覧 
１．特開２００３−２９５９１５号公報
２．特開２００６−２０９４８３号公報（一般的な技術水準を示す文献）
３．特開２０１５−７９３４２号公報（周知技術を示す文献）
４．特開２０１４−１１５７４２号公報（周知技術を示す文献）
第３　本願発明
　本願請求項１〜５に係る発明（以下、「本願発明１」〜「本願発明５」という。）は、出願時の特許請求の範囲の請求項１〜５に記載された事項により特定される発明であり、本願発明１〜５は以下のとおりの発明である。
「　【請求項１】
　数値制御装置と、工作機械の強電盤内に実装された複数台のＩ／Ｏユニットと、が接続された数値制御システムにおいて、
前記強電盤の外形および内部構造を示す形状情報と、少なくとも前記強電盤内のＩ／Ｏユニットの実装される位置および取り付けられる向きを示す実装情報と、を含む強電盤設計用のＣＡＤデータを記憶したＣＡＤデータ記憶手段と、
前記Ｉ／Ｏユニットの接続状況を記録するＩ／Ｏ割り付けデータを記憶したＩ／Ｏ割り付けデータ記憶手段と、
それぞれの前記Ｉ／Ｏユニットの前記Ｉ／Ｏ割り付けデータと前記実装情報との関連情報を記録する関連情報記憶手段と、
前記数値制御装置または前記Ｉ／Ｏユニットの不具合が発生した不具合発生部位を検出する故障検出手段と、
前記不具合発生部位に係る情報、前記Ｉ／Ｏ割り付けデータ、前記関連情報、および前記ＣＡＤデータに基づいて、前記強電盤の形状イメージ上に不具合発生部位を表示する表示データを作成する表示手段と、
を備えたことを特徴とする数値制御システム。
【請求項２】
　前記複数台のＩ／Ｏユニットは前記数値制御装置とデイジーチェーン接続されており、前記Ｉ／Ｏ割り付けデータはＩ／Ｏの接続順番である、
ことを特徴とする請求項１に記載の数値制御システム。
【請求項３】
　前記故障検出手段は、少なくとも前記Ｉ／Ｏユニットの電源断を検出する、
ことを特徴とする請求項１または２に記載の数値制御システム。
【請求項４】
　前記故障検出手段は、少なくとも前記数値制御装置と前記Ｉ／Ｏユニット間、および前記Ｉ／Ｏユニット間のケーブル断線を検出する、
こと特徴とする請求項１〜３のいずれか１つに記載の数値制御システム。
【請求項５】
　前記実装情報には前記強電盤内に実装された複数台の前記Ｉ／Ｏユニット間のケーブルの配線経路の情報を含む、
ことを特徴とする請求項１〜４のいずれか１つに記載の数値制御システム。」
第４　引用文献、引用発明等
１　引用文献１について
（１）原査定の拒絶の理由に引用された引用文献１には、図面とともに次の事項が記載されている（下線は理解の便のため当審にて付与。以下同）。
ア　段落【０００９】
「【課題を解決するための手段】上記課題を解決するために、本発明の請求項１に記載された部品の交換または修理を通知または指示する機能を有する工作機械装置の
数値制御装置
工作機械装置の複数の部品および組体の三次元形状モデルにそれぞれ与えられた三次元モデル設計支援システム（ＣＡＤ，Computer Aided Design System）における属性データ
それら前記部品または組体の三次元形状モデルを表示する表示装置
イ　段落【００１２】
「また、請求項３に記載された数値制御装置は、交換や修理が必要な部品および組体が検出信号に基づいて選択的に表示されるから、作業者の負担をより少なくすることができる。また、請求項４に記載された数値制御装置は、
部品および組体ととともに異常のデータが同時に表示されるから、作業者は、組体および部品の構成と部品の消耗、汚れ、損傷など故障の原因とを視覚的にかつ具体的に理解することができる。
ウ　段落【００１３】
「【発明の実施の形態】図１は、本発明のコンピュータ機能付数値制御装置の実施の形態の一例を示しており、ワイヤカット放電加工装置に搭載された数値制御電源装置の立体構成図である。
数値制御装置は、ワイヤカット放電加工装置の加工機本機に隣接される数値制御電源装置１の筐体の内部に配置される。
エ　段落【００２７】
「ＣＡＤで作成された三次元形状モデルに与えられた属性データは、少なくとも、
寸法、
名称、部品番号、
単位形状要素、境界、領域、座標
オ　段落【００３０】
「記憶装置４０は、入出力装置２０を通して汎用制御ユニット２２の外から得られるデータと、後述する演算装置７０の演算によって得られるデータを記憶し、数値制御電源装置２の電源が落とされた後でも記憶内容を保持する手段である。
記憶装置４０は、少なくとも、工作機械装置の複数の部品および組体の三次元形状モデルにそれぞれ与えられたＣＡＤにおける属性データをそれぞれ組体の単位で関連付けて記憶する。
カ　段落【００３２】
「表示装置６０は、少なくとも、図１に示される汎用制御ユニット１２のグラフィック専用のバス（ＡＧＰ，Accelerated Graphics Port Bus）と、グラフィック専用のバススロットと、そのバススロットに取り付けられたグラフィックスボード（ビデオカード）と、表示ユニット１６に設けられているＬＣＤを含んで構成されている。
表示装置６０は、部品または組体の三次元形状モデルを表示することができる。
キ　段落【００４４】
「部品管理手段７４は、検出信号処理手段７４１、表示命令手段７４２、データ送信手段７４３を含んでなる。検出信号処理手段７４１は、
加工機本機または数値制御電源装置１に適宜設けられた検出装置から周辺機器を含む加工機本機または数値制御電源装置の異常に関する検出データを得て、検出データを解析し、異常の発生場所と異常の種類を特定する。
ク　段落【００４５】
「図３乃至図６は、実施の形態の数値制御電源装置におけるデータの表示および複数の部品の表示の例を示している。図３はワイヤカット
放電加工装置
図４は通電体が消耗して寿命に達していることを作業者に知らせるために下側ガイド装置の位置が表示されているとき、図５は複数の部品で構成された下側ガイド装置の全体が表示されているとき
ケ　段落【００４７】
「図３に示される加工機本機または図１に示される数値制御電源装置１に設けられた図示しないいくつかの検出装置からの検出信号は、図１に示される数値制御ユニット１１によりデータ化され検出信号処理手段７４１に入力される。または、検出装置からの検出信号は、汎用制御ユニット１２の特定のバススロットまたはピンジャックを通して検出信号処理手段７４１に入力される。検出信号処理手段７４１に入力される検出信号は、検出信号処理手段７４１によって出力元が判別され、加工機本機または数値制御電源装置の場所、特定の組体、異常の種類と原因が識別されてデータ化される。
検出装置は、具体的には、例えば、フィルタの圧力を検出する装置、加工液の液面を検出する装置、放電加工回路の通電状態を検出する装置
コ　段落【００４８】
「検出信号処理手段７４１は、所定の演算プロセスに従って、検出データを解読し、少なくとも、
異常が発生している加工機本機または数値制御電源装置の場所、特定の組体、異常の種類と原因を含むインフォメーションデータを作成
サ　段落【００４９】
「作業者が表示装置６０のディスプレイに表示されているコメントを確認し、図３に示されるような表示装置６０のディスプレイに表示されている「装置」のボタンを操作装置２１のタッチパネルで操作すると、加工機本機または数値制御電源装置の筐体の内部の写真画像が表示される。例えば、下側ガイド装置の通電体の消耗が判別されたときは、表示命令手段７４２は、操作装置２１からの命令に従って、記憶装置４０に記憶されている検出信号処理手段７４１で得られたインフォメーションデータを得て、記憶装置４０に予め記憶されている
加工機本機の写真の画像データとマークのデータとを関連付けて描画データ作成手段７１４に与える。描画データ作成手段７１４は、与えられたデータから描画データを作成し、表示装置６０に出力する。
シ　段落【００５７】
「【発明の効果】以上に説明されるように、本発明の数値制御装置は、設計者がＣＡＤで作成した部品および組体の三次元形状モデルに与えられた属性データを使用できるので、
新たに表示のための部品および組体のデータを作成する必要がない。
異常が発生した場所、特定の組体の構造、部品の取付状態と取外し方法を視覚的に容易に認知することができる。
ス　図４
セ　図５
（２）上記（１）での記載から，引用文献１には，次の技術的事項が開示されていると認められる。 
ア　上記（１）ア及びウから、数値制御装置と、工作機械装置の複数の部品及び組体と、が接続された数値制御電源装置が開示されていると認められる。
イ　上記（１）ア、エ及びオから、組体及び部品の三次元モデル設計支援システム（ＣＡＤ，Computer Aided Design System）における属性データには、寸法、名称、部品番号、単位形状要素、境界、領域、座標が含まれ、当該属性データが記憶手段４０に記憶されることが開示されている。また、図４には、工作機械装置の外形及び内部構造を示す形状が示されている（上記（１）サ及びス参照）ことから、上記システムに当該形状情報を含むことは自明である。
ウ　上記（１）イ、キ、ケ及びコから、加工機本機または数値制御電源装置、組体及び部品の異常が発生した場所、構成を検出する検出装置が開示されている。
エ　上記（１）カ、コ、サ及びシから、異常が発生した場所に係る情報及び三次元モデル設計支援システム（ＣＡＤ，Computer Aided Design System）における属性データに基づいて、工作機械装置の画像データ上に異常が発生した場所を表示する描画データを作成する描画データ作成手段７１４が開示されている。
（３）上記（２）から、引用文献１には次の発明（以下、「引用発明」という。）が開示されていると認められる。
「数値制御装置と、工作機械装置の複数の部品及び組体と、が接続された数値制御電源装置において、
前記工作機械装置の外形及び内部構造を示す形状情報と、工作機械装置内の組体及び部品の寸法、単位形状要素、境界、領域、座標を含む三次元モデル設計支援システム（ＣＡＤ，Computer Aided Design System）における属性データを記憶した記憶手段４０と、
加工機本機または数値制御電源装置、組体及び部品の異常が発生した場所、構成を検出する検出装置と、
上記異常が発生した場所に係る情報、および三次元モデル設計支援システム（ＣＡＤ，Computer Aided Design System）における属性データに基づいて、工作機械装置の画像データ上に異常が発生した場所を表示する描画データを作成する描画データ作成手段７１４と描画データを表示する表示装置と、
を備えた数値制御電源装置」
２　引用文献２について
（１）原査定の拒絶の理由において一般的な技術水準を示す文献として引用された引用文献２には、図面とともに次の事項が記載されている。
ア　段落【０００２】
「周知のように、
工作機械の盤内には、リレー、ファンモータ、バッテリ等、様々な要素（「部品」と呼ばれることもある）が実装されている。
多くの要素のアラーム情報等の集中管理を実現しようとすると、それら要素のすべてを有線で結合しなくてはならなくなり、盤内配線が煩雑になることやコスト高の問題で実現が難しかった。
イ　段落【０００８】
「図１は本発明の実施形態について説明する図で、
工作機械の制御盤内の要部構成が記されている。工作機械は切削、穿孔等任意の加工を行うもので良い。制御盤全体は符号１で示されており、同制御盤１には数値制御装置２とともに強電盤１０が組み込まれ、両者は周知の態様で電気的に接続されている。強電盤１０内には、故障検出アラーム信号を出力するリレー、低電圧アラーム信号を出力するバッテリ、回転停止又は回転数低下アラーム信号と回転数を示すステータス信号を出力するファンモータ、及び、周囲の温度を計測し、計測結果を表わすステータス信号を出力する温度計が分散して実装されている。
ウ　段落【００１０】
「上記した各要素、即ち、
リレー、バッテリ、ファンモータ、及び、温度計にはそれぞれ無線タグが装備されている。
アラーム信号及び／またはステータス信号を一旦記憶するとともに、記憶内容を所定周期で無線信号に変換して発信する。
エ　段落【００１１】
「発信された無線信号は、数値制御装置２に接続された受信デバイスで受信され、数値制御装置２に取り込まれる。
数値制御装置２は、通常の制御（加工プログラムに基づく工作機械の各軸制御等）に加えて、諸要素のアラーム情報やステータス情報を集中管理する機能を有している。
付設された表示部（例えば液晶表示パネル）３上に表示される。
オ　段落【００１３】
「また、数値制御装置２には、ブザー（またはスピーカ）４が付設されており、アラーム信号を受けた時には警報音（ブザー音）によりアラーム発生を報知する。図示されている表示例の状態では、当然、警報音（ブザー音）が鳴り響き、作業者は遠くにいてもアラーム発生を知ることができる。表示部３上のアラーム情報の表示についても、赤色表示、点滅表示等を行うことができる。」
カ　段落【００１４】
「このようにして、作業者はアラーム発生をブザー音（あるいは画面の点滅表示等の視認）で知ることになるが、その際、画面に表示された内容からアラーム要因を判断し、所要の装置をとることができる。上記の表示例のケースであれば、バッテリ１で低電圧アラームが発生していることを知り、機械の電源オフ、バッテリ１の交換等の処置をとる。」
キ　段落【００１５】
「リレー、ファンモータについてもアラーム発生時には同様にブザー（またはスピーカ）４が鳴り、アラーム要因が表示部３に表示される。」
ク　図１
（２）上記（１）ア〜エから、引用文献２には次の技術的事項（以下、「引用文献２記載の技術的事項」という。）が開示されていると認められる。
「工作機械の強電盤内に配置されたリレー、ファンモータ、バッテリ、温度計等の要素（部品）からアラーム信号を受けた場合にアラーム発生を報知すること。」
第５　対比・判断
１　本願発明１について
（１）引用発明との対比
　本願発明１と引用発明とを対比すると、次のことがいえる。
ア　引用発明における「工作機械装置」、「数値制御電源装置」、「寸法、単位形状要素、境界、領域、座標」、「三次元モデル設計支援システム（ＣＡＤ，Computer Aided Design System）における属性データ」、「記憶手段４０」、「異常が発生した場所」、「検出装置」、「上記異常が発生した場所に係る情報」、「画像データ」、「描画データ」、「描画データ作成手段７１４」及び「表示装置」は、それぞれ、本願発明１における「工作機械」、「数値制御システム」、「実装される位置および取り付けられる向きを示す実装情報」、「設計用のＣＡＤデータ」及び「ＣＡＤデータ」、「ＣＡＤデータ記憶手段」、「不具合が発生した不具合発生部位」及び「不具合発生部位」、「故障検出手段」、「前記不具合発生部位に係る情報」、「形状イメージ」、「表示データ」、「表示手段」に相当する。
イ　引用発明における「画像データ上に異常が発生した場所を表示する描画データを作成する描画データ作成手段７１４と描画データを表示する表示装置」は、描画データを作成して表示するという一連の手段を有しているから、上記アの相当関係を踏まえ、「形状イメージ上に不具合発生部位を表示する表示データを作成する表示手段」に相当すると認められる。
ウ　引用発明の「工作機械装置の複数の部品及び組体」と、本願発明１の「工作機械の強電盤内に実装された複数台のＩ／Ｏユニット」とは、「工作機械の複数の組体」という点で共通する。
エ　したがって、本願発明１と引用発明との間には、次の一致点、相違点があるといえる。
（一致点）
「数値制御装置と、工作機械の複数の組体と、が接続された数値制御システムにおいて、
形状情報と、前記工作機械内の組体の実装される位置および取り付けられる向きを示す実装情報と、を含むＣＡＤデータを記憶したＣＡＤデータ記憶手段と、
組体の不具合発生部位を検出する故障検出手段と、
前記不具合発生部位に係る情報、および前記ＣＡＤデータに基づいて、形状イメージ上に不具合発生部位を表示する表示データを作成する表示手段と、
を備えた数値制御システム」
（相違点１）
　本願発明１の数値制御システムには、工作機械の強電盤内に実装された複数台のＩ／Ｏユニットが接続され、強電盤の形状イメージ上に不具合発生部位を表示する表示データを作成する表示手段を備えているのに対して、引用発明では、工作機械装置（「工作機械」に相当）の画像データ（「形状イメージ」に相当）上に複数の部品及び組体の異常が発生した場所（「不具合発生部位」に相当）を表示させる点。
（相違点２）
　本願発明１の数値制御システムは、Ｉ／Ｏユニットの接続状況を記録するＩ／Ｏ割り付けデータを記憶したＩ／Ｏ割り付けデータ記憶手段と、それぞれの前記Ｉ／Ｏユニットの前記Ｉ／Ｏ割り付けデータと前記実装情報との関連情報を記録する関連情報記憶手段とを備えるのに対して、引用発明では、Ｉ／Ｏユニットの接続状況を記録するＩ／Ｏ割り付けデータやＩ／Ｏ割り付けデータと前記実装情報との関連情報を有しない点。
（２）相違点についての判断
（上記相違点１について）
　強電盤における異常を報知することが公知であり（上記「第４」２（２）参照）、強電盤にＩ／Ｏユニットを設けることは自明であるから、引用発明の工作機械装置（「工作機械」に相当）の画像データ（「形状イメージ」に相当）上における複数の部品及び組体の異常が発生した場所（「不具合発生部位」に相当）を表示させる構成を、工作機械の強電盤に実装された複数台のＩ／Ｏユニットに用いることにより、工作機械の強電盤の形状イメージ上に強電盤内の複数のＩ／Ｏユニットの不具合発生部位を表示させ、上記相違点１に係る構成とすることに格別の困難性は認められない。
（上記相違点２について）
　本願発明１の関連情報は、数値制御装置においてデータ交換する際に使用されるＩ／Ｏユニットの識別子（段落【００１７】）と、ＣＡＤデータ上の実装位置におけるＩ／Ｏユニットの識別子との関係を表すものである（段落【００１８】）ところ、ＣＡＤによる設計の際には、Ｉ／Ｏユニットについて、数値制御装置で使用する際の識別子までは把握できないから、ＣＡＤデータを作成した時点で関連情報は存在せず、強電盤にＩ／Ｏユニットを実装する際に、数値制御装置で使用するＩ／Ｏユニットそれぞれの識別子と実装位置に基づいて、関連情報の登録が行われるものと解される。
　そして、どのＩ／Ｏユニットに不具合が生じたかは、数値制御装置がその識別子に基づいて検出する（段落【００１８】）から、当該識別子だけでは、ＣＡＤデータ上の実装位置を特定することができず、関連情報を参照して、ＣＡＤデータ上の識別子を認識することによりＣＡＤデータ上の実装位置を特定することができる。
　引用発明は、ＣＡＤにおける属性データに基づいて、異常が生じた部品や組体の場所を表示するものであるが、本願発明において、引用発明のように異常が生じたＩ／Ｏユニットの場所を表示するためには、ＣＡＤデータの他に、数値制御装置におけるＩ／Ｏユニットの識別子の情報や関連情報が必要となるところ、原査定において引用された引用文献１ないし４には、Ｉ／Ｏユニットの識別子の情報や関連情報が示されていない。
　したがって、上記相違点２に係る構成は、引用発明及び引用文献１ないし４に基づいて当業者が容易に発明できたものとはいえない。
　以上から、引用文献１に接した当業者が、引用発明を引用文献２記載の技術的事項に用い、上記相違点１に係る構成を採用したとしても、上記相違点２に係る構成とすることの動機付けを認めることはできない。
　なお、以上の点に関連して、平成３０年５月２８日に提出された審判請求書の第１６頁において、請求人は「（ｄ）本願発明１の効果」として、「本願発明１は上記発明特定事項を備えることにより、機械が設置された顧客側で強電盤内におけるＩ／Ｏユニットの配置や、ケーブルの接続関係などが変更された場合であっても、Ｉ／Ｏ割付データ記憶手段及び関連情報記憶手段に記憶されている情報を更新するだけで、正しく強電盤内の状態を表示することができるようになり、この強電盤内の状態表示を参照することで、Ｉ／Ｏユニットに関連する故障が発生した際に、作業者は回路図や実装図を参照することなく故障箇所をより明確に把握することができるようになり、また、故障発生時のアラーム表示画面を作成にＣＡＤデータを流用できるため、機械毎のアラーム表示画面の作成を容易に行うことができる」と主張している。
　また、原査定の拒絶の理由において、下位の請求項の「数値制御装置や工作機械において、デイジーチェーン接続が利用されていること、断線を検知する必要があること」に関する周知技術を示す文献として引用された引用文献３及び引用文献４にも、工作機械の強電盤の形状イメージ上に強電盤内の複数の要素の不具合発生部位を表示させるため、Ｉ／Ｏ割り付けデータやＩ／Ｏ割り付けデータと前記実装情報との関連情報を具備することは何ら開示されていない。
　したがって、本願発明１は、引用発明、引用文献２記載の技術的事項に基づいて容易に発明できたものであるとはいえない。
２　本願発明２〜５について
　本願発明２〜５は、本願発明１を引用するものであり、本願発明１の「前記Ｉ／Ｏユニットの接続状況を記録するＩ／Ｏ割り付けデータを記憶したＩ／Ｏ割り付けデータ記憶手段と、それぞれの前記Ｉ／Ｏユニットの前記Ｉ／Ｏ割り付けデータと前記実装情報との関連情報を記録する関連情報記憶手段」と同一の構成を備えるものであるから、本願発明１と同じ理由により、当業者であっても、引用発明及び引用文献２記載の技術的事項等に基づいて容易に発明できたものとはいえない。
第６　むすび
　以上のとおり、原査定の拒絶の理由によって、本願を拒絶することはできない。また、他に本願を拒絶すべき理由を発見しない。
　よって、結論のとおり審決する。